(57)【特許請求の範囲】
【請求項１】
容器体口頸部(４)へ嵌合させた筒状中栓(１０)の上面に容器体内容物の吐出口(１５)を形成すると共に、前記筒状中栓(１０)を介して容器体口頸部外面へキャップ(２０)を螺合させる容器のキャップ取付け構造において、
前記中栓周壁下方部(１２)を前記容器体口頸部(４)外面へ嵌合させて、該口頸部より上方の中栓周壁(１３)部分の外径を容器体口頸部(４)の外径よりも小さくすると共に、前記キャップ周壁(２１)の上方部外径を下方部よりも小さい小外径部(２５)に形成して、前記キャップ(２０)の所定量のねじ込みで、前記小外径部(２５)内面を前記口頸部より上方の中栓周壁(１３)部分外面へ液密に嵌合可能に形成して、前記中栓上面(１４)に残留した吐出後の容器体内容物がキャップ内へ漏出することを防止可能に形成し、
前記キャップ(２０)の所定量以上のねじ込みで、前記キャップ頂壁(２２)が中栓上面(１４)へ近接することにより、中栓上面に残留した容器体内容物が中栓吐出口(１５)内へ流入可能に設けたことを特徴とする容器のキャップ取付け構造。
【発明の詳細な説明】
【技術分野】
【０００１】
本発明は、容器の口頸部へ嵌合させるキャップの取り付け構造に関する。
【背景技術】
【０００２】
キャップを嵌合可能な容器体の口頸部から胴部圧搾により容器体内容物を吐出するようにした容器は周知である。
【０００３】
しかしながら、容器体口頸部の口径は比較的大であるところから、容器体内容物が使用量以上に吐出され易く、このため容器体口頸部に嵌合した中栓の上面に吐出口を形成して、適量を取り出すことができるようにした容器が知られている。
【０００４】
これを図１０ないし図１３を参照しながら説明する。１００は容器本体の胴部で、容器本体胴部から起立する口頸部１０１外面に雄ネジを形成すると共に、口頸部へ嵌合させた筒状中栓１０２の上面１０３の中央部に任意形状の吐出口１０４を形成し、胴部圧搾で該吐出口から容器体内容物が吐出されるようになっている。
【発明の開示】
【発明が解決しようとする課題】
【０００５】
しかしながら、容器体内容物は、通常、手のひら等に吐出させるが、図１０に示すように、少量ながら中栓上面１０３に付着して、中栓上面に内容物の溜まり１０５が形成されることがある。この状態で、図１１に示すように、口頸部にキャップ１０６を螺合してねじ込むと、図１２に示すように、中栓上に溜まった内容物がキャップ頂壁１０７によりうすく延ばされて、キャップの雌ネジ１０８内へ浸入し、キャップ内部に付着するという欠点があった。
【０００６】
本発明は上記問題点に鑑みてなされたもので、キャップと中栓との間に中栓上面に溜まった内容物の漏出を防止し可能な漏出防止手段を設けることにより、キャップ内部の汚れを防止し得る容器のキャップ取付け構造を提供することを目的とする。
【課題を解決するための手段】
【０００７】
本発明は、容器体口頸部４へ嵌合させた筒状中栓１０の上面に容器体内容物の吐出口１５を形成すると共に、前記筒状中栓１０を介して容器体口頸部外面へキャップ２０を螺合させる容器のキャップ取付け構造において、
前記中栓周壁下方部１２を前記容器体口頸部４外面へ嵌合させて、該口頸部より上方の中栓周壁１３部分の外径を容器体口頸部４の外径よりも小さくすると共に、前記キャップ周壁２１の上方部外径を下方部よりも小さい小外径部２５に形成して、前記キャップ２０の所定量のねじ込みで、前記小外径部２５内面を前記口頸部より上方の中栓周壁１３部分外面へ液密に嵌合可能に形成して、前記中栓上面１４に残留した吐出後の容器体内容物がキャップ内へ漏出することを防止可能に形成し、
前記キャップ２０の所定量以上のねじ込みで、前記キャップ頂壁２２が中栓上面１４へ近接することにより、中栓上面に残留した容器体内容物が中栓吐出口１５内へ流入可能に設けたことを特徴とする。
【発明の効果】
【００１１】
本発明は、キャップの所定量のねじ込みで、キャップが中栓へ液密に嵌合可能に形成して、中栓上に残留した吐出後の容器体内容物がキャップ内へ漏出することを防止可能としたので、キャップ内部への容器体内容物の付着が防止される。
【発明を実施するための最良の形態】
【００１２】
以下、本発明を図面に示す実施の形態を参照しながら説明する。
【００１３】
図１ないし図３は本発明の第１の実施形態を示すもので、１は容器体で、胴部２上端から肩部３を介して口頸部４を起立する。口頸部４の上端部外径はその下方部の外径よりも小さい小外径部５に形成されており、小外径部５より下方部外面には雄ネジ６が形成されている。
【００１４】
１０は筒状の中栓で、周壁１１の下端部は内外二重筒１２に形成されていて、該内外筒間の環状間隙は容器体口頸部４上端の小外径部５へ凹凸の係合部を介して嵌着されている。内外二重筒１２より上方の上方周壁部１３は内外二重筒１２の上端部内面から起立しており、かつ、該上方周壁部１３は下方部が漸次薄肉になるように外面がテーパ状に形成されている。
【００１５】
このように上方周壁部１３外面をテーパ状に形成する理由は、後述のように、キャップ内面が上方周壁部１３の上端部外面へ気密に嵌合されるようにするためであり、したがって、テーパ状にすることなく、上方周壁部１３の上端部外面に突条を周設してもよい。上方周壁部１３の頂面を閉塞する上壁１４の中央部には任意形状の吐出口１５が形成されている。
【００１６】
２０はキャップで、周壁２１の上面は頂壁２２で閉塞され、かつ、周壁２１下部内面には、容器体口頸部４の雄ネジ６へ螺合可能な雌ネジ２３が形成されている。
【００１７】
次に作用について説明する。
【００１８】
容器体内容物Ａを容器体１から吐出するには、キャップ２０を容器体口頸部４から離脱させて、胴部２を圧搾すればよく、すると内容物Ａの大半は吐出口１５から吐出して手のひら等に吐出されるが、一部は、図１に示すように、吐出口１５の周囲に付着して、中栓上壁１４に残留する。
【００１９】
吐出後、容器体口頸部４へキャップ２０を螺合させて、所定量ねじ込むと、図２に示すように、キャップの上部内面が中栓１０の上方周壁部１３上端へ液密に嵌合して、上方周壁部１３外周をシールする。
【００２０】
さらに、キャップ２０をねじ込むと、図３に示すように、キャップ頂壁２２が中栓上壁１４へ近接して、吐出口１５の周囲に残留した容器体内容物Ａをうすく延ばして吐出口１５内へ流入させる。その際、中栓の上方周壁部１３外周はキャップ２０によってシールされているため、内容物Ａがキャップ２０内へ漏出することは防止される。なお、容器体へ充填される内容物の種類には特に限定はないが、本発明は粘性を有するものに対して特に有効である。
【００２１】
図４ないし図６は第２の実施形態を示すもので、中栓１０の上方周壁部１３は、第１実施形態では下方部が薄肉になるようにテーパ状に形成されているが、第２実施形態では、上下全長にわたって同一肉厚に形成されている。
【００２２】
また、第１実施形態では、キャップ２０の周壁２１は上下全長にわたって同一内径であるが、第２実施形態では、キャップ２０の上端部内径は下方部の内径よりも小さい小内径部２５に形成されて、該小内径部２５が中栓の上方周壁部１３外面へ嵌合可能となっている。その他の構成は第１実施形態と同一であるから、説明を省略する。
【００２３】
作用についても第１実施形態と異なる点についてのみ説明すると、容器体内容物Ａ吐出後、キャップ２０を容器体口頸部へ螺合させて、所定量ねじ込むと、図５に示すように、キャップ小内径部２５の下端内面が中栓の上方周壁部１３の上端外面へ液密に嵌合して、該上方周壁部１３外周をシールする。
【００２４】
さらに、キャップ２０をねじ込むと、図６に示すように、キャップ頂壁２２が中栓上壁１４へ近接して、吐出口１５の周囲に残留した容器体内容物Ａをうすく延ばして吐出口１５内へ流入させる。その際、中栓の上方周壁部１３外周は、第１実施形態と同様に、キャップ２０によってシールされているため、内容物Ａがキャップ２０内へ漏出することは防止される。
【００２５】
図７ないし図９は第３の実施形態を示すもので、中栓３０は、容器体口頸部４上面を覆う上壁３１の周縁部から内外二重筒３２を垂下して、該二重筒の環状空間を口頸部４の上端部へ嵌合させると共に、二重筒３２の外筒３３の上端部外面に係合突条３４を周設している。上壁３１の中央部には任意形状の吐出口３５が形成されている。
【００２６】
キャップ２０をねじ込むと、その上部内面が係合突条３４へ係合して、中栓３０の上端部とキャップ２０内面との間隙がシールされるため、上壁３１に溜まった容器体内容物がキャップ２０のネジ部へ漏出することがない。その他の構成は第１実施形態と同様であるから説明を省略する。
【図面の簡単な説明】
【００２７】
【図１】本発明の第1実施形態を示すもので、容器体内容物の吐出後の状態を示す一部切欠き側面図である。
【図２】容器本体口頸部へキャップを所定量螺合させた状態を示す作用説明図である。
【図３】容器本体口頸部へのキャップの最終ねじ込み態を示す作用説明図である。
【図４】本発明の第２実施形態を示すもので、容器体内容物の吐出後の状態を示す一部切欠き側面図である
【図５】容器本体口頸部へキャップを所定量螺合させた状態を示す作用説明図である。
【図６】容器本体口頸部へのキャップの最終ねじ込み態を示す作用説明図である。
【図７】本発明の第３実施形態を示すもので、容器体内容物の吐出後の状態を示す半断面図である。
【図８】容器本体口頸部へキャップを所定量螺合させた状態を示す作用説明図である。
【図９】容器本体口頸部へのキャップの最終ねじ込み態を示す作用説明図である。
【図１０】従来例を示すもので、容器体内容物の吐出後の状態を示す一部切欠き側面図である。
【図１１】中栓の吐出口周囲に容器体内容物が付着した状態を示す略示平面図である。
【図１２】容器本体口頸部へキャップを所定量螺合させた状態を示す作用説明図である。
【図１３】容器本体口頸部へのキャップの最終ねじ込み態を示す作用説明図である。
【符号の説明】
【００２８】
１  容器体
４  口頸部
５  小外径部
１０  中栓
１１  周壁
１２  内外二重筒
１３  上方周壁部
１４  上壁
１５  吐出口
２０  キャップ
２１  周壁
２２  頂壁
２５  小内径部
【図１】
0004888893.tif 000002
【図２】
0004888893.tif 000003
【図３】
0004888893.tif 000004
【図４】
0004888893.tif 000005
【図５】
0004888893.tif 000006
【図６】
0004888893.tif 000007
【図７】
0004888893.tif 000008
【図８】
0004888893.tif 000009
【図９】
0004888893.tif 000010
【図１０】
0004888893.tif 000011
【図１１】
0004888893.tif 000012
【図１２】
0004888893.tif 000013
【図１３】
0004888893.tif 000014